(57)【要約】【課題】コンクリート製構造物に生じた亀裂、剥離等の損壊箇所の補修を簡単、迅速、安価に行うことができ、しかも亀裂や損壊の拡大を防止でき、また金属素材の発錆や発錆によるコンクリートの爆裂といった問題を解決できるコンクリート製構造物用補修具及びコンクリート製構造物の補修方法を提供する。【解決手段】岸壁２１の損壊箇所２１Ａの周囲にモルタル製の植設ボルト１、１、・・を植設する。植設ボルト１を構成する円柱状基体２は中間部位２Ａから先端側２Ｂにかけて外周面２Ｃに螺旋状係止溝３が形成してあり、先端側は円錐状突起４に形成してある。円柱状基体２の中間部位２Ａから後端２Ｄの外周面２Ｃには雄ねじ部５が形成してある。覆い板１１のボルト通し穴１１Ａに植設ボルト１を挿通して雄ねじ部５に六角ナット７を螺合する。植設ボルト１及び六角ナット７はモルタル成形したものを用いる。【選択図】図１
2016044452.tif 000002
【特許請求の範囲】
【請求項１】
コンクリート製構造物の補修箇所を覆う非金属製の覆い板を該コンクリート製構造物に取着する補修具であって、前記コンクリート製構造物のボルト植設穴にモルタルを充填した状態で挿着する植設ボルトは、円柱状基体の中間部位から軸方向先端側までの外周面に螺旋状係止溝を形成し、先端側は円錐状突起に形成し、前記中間部位から軸方向後端までの外周面に雄ねじ部を形成した形状からなり、前記覆い板のボルト通し穴に挿通した該植設ボルトの雄ねじ部にナットを螺合することにより該覆い板を前記コンクリート製構造物に密接させるものとし、該ナット及び植設ボルトはモルタル成形したものであるコンクリート製構造物用補修具。
【請求項２】
前記植設ボルトは、前記中間部位から先端側の外周面に複数の姿勢保持片を離間して突設してあることを特徴とする請求項１記載のコンクリート製構造物用補修具。
【請求項３】
前記ナットは、軸方向に挿通して前記覆い板に係止する回り止めピンにより回動不能にしてあることを特徴とする請求項１記載のコンクリート製構造物用補修具。
【請求項４】
前記植設ボルト及び／又はナットは、非金属製材料からなる補強材を混入してモルタル成形したものであることを特徴とする請求項１記載のコンクリート製構造物用補修具。
【請求項５】
コンクリート製構造物の補修箇所を覆う非金属製の覆い板を該コンクリート製構造物に取着する補修方法であって、円柱状基体の中間部位から軸方向先端側にかけて外周面に螺旋状係止溝を形成すると共に、先端を円錐状突起に形成し、前記円柱状基体の前記中間部位から軸方向後端までの外周面に雄ねじ部を形成してなる植設ボルトを、前記コンクリート製構造物のボルト植設穴にモルタルを充填して挿着し、前記覆い板のボルト通し穴に該植設ボルトを挿通して外側からナットを螺合して締着することにより、該覆い板を前記コンクリート構造物に密接させるようにしたコンクリート製構造物の補修方法。
【請求項６】
前記植設ボルトは、前記中間部位から先端側の外周面に複数の姿勢保持片を離間して突設してあることを特徴とする請求項５記載のコンクリート製構造物の補修方法。
【発明の詳細な説明】
【技術分野】
【０００１】
本発明は、岸壁、堤防、ダムの突堤、橋脚等のコンクリート製構造物に生じた亀裂や損壊箇所を補修するためのコンクリート製構造物用補修具及びコンクリート製構造物の補修方法に関する。
【背景技術】
【０００２】
岸壁、堤防、ダムの突堤等のコンクリート製構造物は、コンクリートと鉄骨を組み合わせた構造からなるが、コンクリートは酸性雨や大気中の酸化物に接して次第にアルカリ化する。このコンクリートのアルカリ化に伴って鉄骨が発錆し、錆が更に拡大すると鉄骨は体積が約９％膨張することから終にはコンクリートが膨脹圧によって爆裂し、コンクリート製構造物に亀裂や剥離が形成されてコンクリート製構造物の強度低下を招くことになる。
【０００３】
このコンクリート製構造物の亀裂や損壊箇所を補修する方法として、従来は亀裂にはモルタルを加圧充填し、損壊箇所にはモルタルを塗布する、亀裂を含む周辺を凹状に切削してモルタルを充填するといった補修方法が行なわれている。また、堤防の補修方法として、五徳縫い水防工法があり、亀裂１の周囲の法面２に杭部材１０を打ち込む前に、管状部材２０を打ち込んで打ち込み用孔１９を形成し、その後杭部材１０を打ち込んで五徳縫い水防工法を実施する技術が提案されている（特許文献１）。
【先行技術文献】
【特許文献】
【０００４】
【特許文献１】特開２０１１−１１１８２５
【発明の概要】
【発明が解決しようとする課題】
【０００５】
上述した従来技術において、亀裂や損壊箇所にモルタルを単に充填する方法は、損傷箇所を覆うモルタルが露出した状態であるため雨水の浸透は避けられないし、一時的な補修に過ぎないので耐久性に欠けるという問題がある。また、損壊箇所を覆う補修板を金属製ボルト・ナットでコンクリート製構造物に固定して補修したのではボルト・ナットの発錆は避けられないという欠点がある。更に、五徳縫い水防工法にあっては、法面に打ち込んだ複数本の杭部材の上端側を交差させて紐で締結し、締結部位より上側に重りとしての土嚢を乗せることから、垂直面や傾斜面の補修には使用出来ないという欠点、補修工事に手間が掛り、費用が嵩む、耐久性に欠けるという欠点がある。
【０００６】
本発明は上述した従来技術の諸欠点に鑑みなされたもので、コンクリート製構造物に生じた亀裂や剥離といった損壊箇所の補修を簡単、迅速、安価に行うことができ、しかも亀裂や損壊の拡大を防止することができるコンクリート製構造物用補修具及びコンクリート製構造物の補修方法を提供することを目的とする。
【課題を解決するための手段】
【０００７】
上述した課題を解決するための請求項１に係る発明を構成する手段は、コンクリート製構造物の補修箇所を覆う非金属製の覆い板を該コンクリート製構造物に取着する補修具であって、前記コンクリート製構造物のボルト植設穴にモルタルを充填した状態で挿着する植設ボルトは、円柱状基体の中間部位から軸方向先端側までの外周面に螺旋状係止溝を形成し、先端側は円錐状突起に形成し、前記中間部位から軸方向後端までの外周面に雄ねじ部を形成した形状からなり、前記覆い板のボルト通し穴に挿通した該植設ボルトの雄ねじ部にナットを螺合することにより該覆い板を前記コンクリート製構造物に密接させるものとし、該ナット及び植設ボルトはモルタル成形したものからなる。
【０００８】
そして、前記植設ボルトは、前記中間部位から先端側の外周面に複数の姿勢保持片を離間して突設するとよい。
【０００９】
また、前記ナットは、軸方向に挿通して前記覆い板に係止する回り止めピンにより回動不能にするとよい。
【００１０】
更に、前記植設ボルト及び／又はナットは、非金属製材料からなる補強材を混入してモルタル成形するとよい。
【００１１】
また、請求項５に係る発明を構成する手段は、コンクリート製構造物の補修箇所を覆う非金属製の覆い板を該コンクリート製構造物に取着する補修方法であって、円柱状基体の中間部位から軸方向先端側にかけて外周面に螺旋状係止溝を形成すると共に先端側を円錐状突起に形成し、前記円柱状基体の前記中間部位から軸方向後端までの外周面に雄ねじ部を形成してなる植設ボルトを、前記コンクリート製構造物のボルト植設穴にモルタルを充填して挿着し、前記覆い板のボルト通し穴に該植設ボルトを挿通して外側からナットを螺合して締着することにより、該覆い板を前記コンクリート構造物に密接させるようにしたことにある。
【００１２】
そして、前記植設ボルトは、前記中間部位から先端側の外周面に複数の姿勢保持片を離間して突設するとよい。
【発明の効果】
【００１３】
本発明は上述の如く構成したから下記の諸効果を奏する。
（１）コンクリート製構造物の補修部分は非金属製の覆い板で覆い、覆い板はモルタル成形の植設ボルトとナットでコンクリート構造物に締着することにより補修し、金属材料は一切用いない構成にしたから、コンクリート構造物に有害なアルカリ化を招く発錆の問題を完全に解消することで耐久性に優れた補修が可能であるし、錆赤による変色も生じないから景観を損なう事態も解消できる。
（２）覆い板はコンクリート製構造物に挿着した植設ボルトにナットで締着して密接させる構成にしたから、補修作業を短期間に、かつ安価に行うことができる。
（３）植設ボルト及びナットはモルタル成形により製作して金属材料は一切用いない構成にしたから、発錆した金属製ボルト・ナットの体積増加によってコンクリート製構造物が爆裂するという従来の問題を完全に解消してコンクリート構造物の耐久性を大幅に高めることができる。しかも、補修費用が安価である。
（４）植設ボルトは外周面に螺旋状係止溝を形成し、先端側は円錐状突起に形成したから、モルタルを充填してあるボルト植設穴に螺入することで挿入が容易であるし、螺旋状係止溝内でモルタルが硬化することで、コンクリート製構造物に確実かつ強固に固着することができる。
（５）植設ボルトは外周面に複数の姿勢保持片を離間して突設したから、摺動性に欠けるコンクリート製構造物のボルト植設穴に容易に挿入することができ、しかも各姿勢保持片は硬化したモルタルに係着するので植設ボルトはコンクリート製構造物に強固に固着することができる。
（６）補修箇所の周囲に挿設した植設ボルトは覆い板によって位置が固定されるので、コンクリート製構造物の亀裂が拡大するのを抑えることができる。
（７）植設ボルト及び／又はナットに非金属製材料からなる補強材を混入してモルタル成形することで高い強度性を持たせたから、コンクリート製構造物の亀裂や損壊の拡大を可及的に防止することができる。
【図面の簡単な説明】
【００１４】
【図１】本発明の実施の形態に係るコンクリート製構造物用補修具の全体構成を示す側面図である。
【図２】植設ボルトの正面図である。
【図３】補修具の使用手順の説明図である。
【図４】補修具により覆い板を岸壁に取着した状態の断面図である。
【発明を実施するための形態】
【００１５】
以下、本発明の実施の形態を図面に基づき詳述する。図において、１は植設ボルトで、該植設ボルト１はコンクリート製構造物である岸壁２１にドリルによって穿設したボルト植設穴２２に挿着するものである。２は該植設ボルト１を構成する円柱状基体で、該円柱状基体２はセメントを硬化させてモルタル成形したものからなり、全長にわたって略同径に形成してある。３、３は円柱状基体２に形成した２本の螺旋状係止溝で、該螺旋状係止溝３、３は周方向に１８０度離間して円柱状基体２の軸方向中間部位２Ａから先端側２Ｂにかけて外周面２Ｃに形成してある。そして、円柱状基体２の先端側２Ｂは円錐状突起４に形成してある。
【００１６】
５は円柱状基体２に形成した雄ねじ部で、該雄ねじ部５は円柱状基体２の中間部位２Ａから軸方向後端２Ｄにかけて外周面２Ｃに形成してある。６は円柱状基体２の後端面に形成した溝状のトルク掛部を示す。該トルク掛部６は大型ドライバーや金属板を係合して回転力を与えることにより、モルタル２３を充填してあるボルト植設穴２２に植設ボルト１を容易に螺入することができる。
【００１７】
７、７、・・・は前記係止溝３、３の間に位置して円柱状基体２の外周面２Ｃに周方向及び軸方向に離間して突設した複数の姿勢保持片を示す。該各姿勢保持片７は、植設ボルト１に対して穴径を若干大きくして挿入し易いように穿設してあるボルト植設穴２２の軸線に対して植設ボルト１の中心線が沿うように姿勢を保持し、植設ボルト１が岸壁２１に対して傾いて植設されるのを防止するためのものである。そして、各姿勢保持片７は、上面７Ａを前端から後端に向けて上り傾斜面に形成することによりモルタル２３を充填してあるボルト植設穴２２に挿入し易いようにしてある。
【００１８】
なお、姿勢保持片７はモルタルで円柱状基体２と一体に成形してもよいし、合成樹脂材で成形して円柱状基体２の成形時に植設してもよい。また、上端側を姿勢保持片７とする３枚の合成樹脂板を周方向に１２０度離間して形成した保持片構成体を円柱状基体２の成形時にモールドして一体化してもよい。
【００１９】
かくして、植設ボルト１はモルタル製の円柱状基体２の中間部位２Ａから軸方向先端側２Ｂにかけて螺旋状係止溝３、３を形成し、先端側２Ｂは円錐状突起４に形成し、中間部位２Ａから軸方向後端２Ｄは雄ねじ部５を形成した形状からなるが、その長さ及び直径は後述する覆い板１１の大きさや厚さに対応可能なように種々設定するとよい。
【００２０】
８は植設ボルト１に螺着するモルタル製の六角ナットを示す。該六角ナット８は、スパナを掛ける外面が６面からなるナット本体８Ａと、該ナット本体８Ａの中心開口に形成し、植設ボルト１の雄ねじ部５に螺合する雌ねじ部８Ｂを一体に成形したものからなる。
【００２１】
９、９は該雌ねじ部８Ｂの外側に位置してナット本体８Ａに軸方向に貫通して形成したピン挿通孔を示す。該各ピン挿通孔９に回り止めピン１０を挿通し、該回り止めピン１０の先端側を覆い板１１に打ち込み、或いは圧入することで、六角ナット８の緩み防止を図っている。
【００２２】
１１は岸壁２１の損壊箇所２１Ａを覆うモルタル製の覆い板で、該覆い板１１は略四角形の平板に成形してあり、外縁側に複数のボルト通し穴１１Ａ、１１Ａ、・・が形成してある。
【００２３】
本実施の形態からなる補修具は上述の構成からなるが、次にその作用について図３及び図４を参照して説明する。例えば、岸壁２１に凹状に形成された損壊箇所２１Ａの補修をする場合、損壊箇所２１Ａを囲繞するように複数個のボルト植設穴２２、２２、・・・をドリルによって穿設し、各ボルト植設穴２２に注入ガンＧによってモルタル２３を充填した後、植設ボルト１をボルト植設穴２２に挿入する。
【００２４】
植設ボルト１は先端側２Ｂを円錐状突起４に形成し、外周面２Ｃには螺旋状係止溝３を形成してあるから、植設ボルト１を回転させながら押し込むとモルタル２３が螺旋状係止溝３内を円滑に流動するので、植設ボルト１大きな力を加えることなく容易に差し込むことができる。この植設ボルト１の螺入は、トルク掛部６に大型ドライバーや金属板を係合し、押圧しながら回転させることで容易に行うことができる。挿入した後、ボルト植設穴２２内のモルタル２４が硬化することで、植設ボルト１は岸壁２１に強固に挿着した状態になる。
【００２５】
次に、岸壁２１の損壊箇所２１Ａの凹部に注入ガンＧ或いは鏝でモルタル２４を充填して均した後、覆い板１１のボルト通し穴１１Ａ、１１Ａ、・・に植設ボルト１を挿通して損壊箇所２１Ａを覆い、六角ナット８を螺合して締着する。最後に、回り止めピン１０を六角ナット８から覆い板１１にかけて挿入し、六角ナット８の緩みを防止する。
なお、上記手順において、岸壁２１に植設ボルト１を植設する作業と補修箇所２１Ａにモルタル２３を充填する補修作業は前後してもよい。
【００２６】
このようにして、損壊箇所２１Ａを覆った状態で覆い板１１を岸壁２１に密接させることにより、損壊箇所２１Ａに充填したモルタル２３が雨水や降雪に直接晒されることが無いし、波力による影響を防ぎ、また損壊箇所２１Ａの周辺の劣化している部分も覆うので岸壁２１に耐久性を持たせることができる。しかも、覆い板１１が複数本の植設ボルト１、１、・・・を一体的に連結することにより、岸壁２１の亀裂が拡大するのを抑えることもできる。
【００２７】
上記作用において、摺動性に欠けるコンクリート構造物である岸壁２１に摺動性に欠けるモルタル製の植設ボルト１を無理なく挿入可能にするために、ボルト植設穴２２は植設ボルト１の直径より幾分大径に設定して形成してある。しかし、かくしては植設ボルト１の略半分の長さの雄ねじ部５が岸壁２１から壁面に対して下方に傾斜した状態で突出するため、ボルト通し穴１１Ａに対する位置がずれて覆い板１１の組み付けが難い事態が生じる。
そこで、植設ボルト１の外側に複数の姿勢保持片７を周方向及び軸方向に離間して設け、各姿勢保持片７がボルト植設穴２２の内面に接することで植設ボルト１自体の接触面を可及的に小さくすることにより、植設ボルト１はボルト植設穴２２に容易に挿入することができる。しかも、各姿勢保持片７は食い込んだモルタル２４が硬化することにより、植設ボルト１は岸壁２１により強固に植設した状態にできる。
【００２８】
そして、本発明において植設ボルト１及び六角ナット７をモルタル成形する際、セメントにグラスファイバーやカーボンファイバー等の高強度の非金属製繊維質材からなる補強材を混合することにより強度性を高めるとよい。
【００２９】
なお、本実施の形態では円柱状基体２に２本の螺旋状係止溝３、３を形成する構成にしたが、螺旋状係止溝の数は実施の形態に限定されるものではなく、１本でも３本でもよいものである。
【符号の説明】
【００３０】
１        植設ボルト
２        円柱状基体
２Ａ      中間部位
２Ｂ      先端側
２Ｃ      外周面
２Ｄ      後端
３        螺旋状係止溝
４        円錐状突起
５        雄ねじ部
７        姿勢保持片
８        六角ナット
１０      回り止めピン
１１      覆い板
２１      岸壁（コンクリート製構造物）
２１Ａ    損壊箇所
２２      ボルト植設穴
２３      モルタル
【図１】
2016044452.tif 000003
【図２】
2016044452.tif 000004
【図３】
2016044452.tif 000005
【図４】
2016044452.tif 000006